(57)【要約】【課題】ワンタッチキー番号が重複する複数の放送チャンネルにおいて、ユーザが好む放送チャンネルを容易な操作で選局可能にする放送受信装置を提供する。【解決手段】選局制御部１０６は、ユーザ入力部１０２が操作されるのに応じて、選局制御部１０６による選局を切り換える。数字キーのうち少なくとも１つは、１又は複数の放送チャンネルの選局を指示できるよう設定される。そして、選局制御部１０６は、数字キーのうち少なくとも１つが複数の放送チャンネルの選局を指示できるよう設定されている場合、複数の放送チャンネルが割り当てられた数字キーが操作されるのに応じて、その数字キーに割り当てられた複数の放送チャンネルを順次選局するよう選局制御部１０６を制御すると共に、複数の放送チャンネルが割り当てられた数字キーの操作に応じたチューナ１０１による選局の順番を変更可能に制御する。【選択図】図１
2007221518.tif 000002
【特許請求の範囲】
【請求項１】
複数の放送チャンネルの放送波を受信する受信手段と、
前記受信した複数の放送チャンネルの放送波の中からいずれかを選局する選局手段と、
前記選局手段における放送チャンネルの選局についての指示を受け付け、少なくとも１つの操作部材で構成される操作手段と、
前記操作手段が操作されるのに応じて、前記選局手段による選局を切り換える制御手段と、を備え、
前記操作部材のうち少なくとも１つは、１又は複数の放送チャンネルの選局を指示できるよう設定され、
前記制御手段は、前記操作部材のうち少なくとも１つが複数の放送チャンネルの選局を指示できるよう設定されている場合、前記複数の放送チャンネルが割り当てられた操作部材が操作されるのに応じて、前記操作部材に割り当てられた複数の放送チャンネルを順次選局するよう前記選局手段を制御すると共に、前記複数の放送チャンネルが割り当てられた操作部材の操作に応じた前記選局手段による選局の順番を変更可能に制御する、
放送受信装置。
【請求項２】
前記制御手段は、
前記複数の放送チャンネルが割り当てられた操作部材が連続して操作された場合、その連続した操作のそれぞれに応じて、前記操作部材に割り当てられた複数の放送チャンネルを順次選局するよう前記選局手段を制御する一方、
前記複数の放送チャンネルが割り当てられた操作部材が操作された後他の操作が行われ、その後前記複数の放送チャンネルが割り当てられた操作部材が再び操作された場合、前記他の操作後の前記操作部材の操作に応じて、前記他の操作が行われる前の前記操作部材の操作に応じて最後に選局された放送チャンネルを選局するよう前記選局手段を制御する、
請求項１に記載の放送受信装置。
【請求項３】
前記制御手段は、
前記複数の放送チャンネルが割り当てられた操作部材が連続して操作された場合、その連続した操作のそれぞれに応じて、前記操作部材に割り当てられた複数の放送チャンネルを順次選局するよう前記選局手段を制御する一方、
前記複数の放送チャンネルが割り当てられた操作部材が操作された後何も操作が行われないで所定時間が経過し、その後前記複数の放送チャンネルが割り当てられた操作部材が再び操作された場合、前記所定時間経過後の前記操作部材の操作に応じて、前記他の操作が行われる前の前記操作部材の操作に応じて最後に選局された放送チャンネルを選局するよう前記選局手段を制御する、
請求項１に記載の放送受信装置。
【請求項４】
前記制御手段は、
前記複数の放送チャンネルが割り当てられた操作部材が連続して操作された場合、その連続した操作のそれぞれに応じて、前記操作部材に割り当てられた複数の放送チャンネルを順次選局するよう前記選局手段を制御する一方、
前記複数の放送チャンネルが割り当てられた操作部材が操作された後前記選局手段で同一の放送チャンネルが所定時間以上長く選局され、その後前記複数の放送チャンネルが割り当てられた操作部材が再び操作された場合、前記所定時間経過後の前記操作部材の操作に応じて、前記他の操作が行われる前の前記操作部材の操作に応じて最後に選局された放送チャンネルを選局するよう前記選局手段を制御する、
請求項１に記載の放送受信装置。
【請求項５】
前記制御手段は、同一の放送チャンネルについて前記選局手段で選局した回数に応じて、前記複数の放送チャンネルが割り当てられた操作部材の操作に応じた前記選局手段による選局の順番を変更する、
請求項１に記載の放送受信装置。
【請求項６】
前記制御手段は、前記複数の放送チャンネルが割り当てられた操作部材の操作に応じた前記選局手段による選局の順番を変更するか否かについてユーザの指示を受け付け、前記受け付けた指示に従って前記前記選局手段による選局の順番を変更するよう制御する、
請求項１に記載の放送受信装置。
【請求項７】
前記制御手段は、前記操作部材のうち少なくとも１つが複数の放送チャンネルの選局を指示できるよう設定されている場合、前記操作部材に割り当てられている複数の放送チャンネルのそれぞれについて異なる枝番号を付与することにより、前記複数の放送チャンネルが割り当てられた操作部材の操作による前記選局手段の選局を制御する、
請求項１〜６のいずれかに記載の放送受信装置。
【請求項８】
複数の放送チャンネルの放送波を受信する受信手段と、
前記受信した複数の放送チャンネルの放送波の中からいずれかを選局する選局手段と、
前記選局手段における放送チャンネルの選局についての指示を受け付け、少なくとも１つの操作部材で構成される操作手段と、を備える放送受信装置の制御方法であって、
前記操作部材のうち少なくとも１つは、１又は複数の放送チャンネルの選局を指示できるよう設定し、
前記操作部材のうち少なくとも１つが複数の放送チャンネルの選局を指示できるよう設定されている場合、
前記複数の放送チャンネルが割り当てられた操作部材が操作されるのに応じて、前記操作部材に割り当てられた複数の放送チャンネルを順次選局するよう前記選局手段を制御し、
前記複数の放送チャンネルが割り当てられた操作部材の操作に応じた前記選局手段による選局の順番を変更可能に制御する、
放送受信装置の制御方法。
【請求項９】
複数の放送チャンネルの放送波を受信する受信手段と、
前記受信した複数の放送チャンネルの放送波の中からいずれかを選局する選局手段と、
前記選局手段における放送チャンネルの選局についての指示を受け付け、少なくとも１つの操作部材で構成される操作手段と、を備える放送受信装置を制御するための制御プログラムであって、
前記操作部材のうち少なくとも１つは、１又は複数の放送チャンネルの選局を指示できるよう設定し、
前記操作部材のうち少なくとも１つが複数の放送チャンネルの選局を指示できるよう設定されている場合、
前記複数の放送チャンネルが割り当てられた操作部材が操作されるのに応じて、前記操作部材に割り当てられた複数の放送チャンネルを順次選局するよう前記選局手段を制御し、
前記複数の放送チャンネルが割り当てられた操作部材の操作に応じた前記選局手段による選局の順番を変更可能に制御するための、
放送受信装置を制御するための制御プログラム。
【発明の詳細な説明】
【技術分野】
【０００１】
本発明は、放送を受信する放送受信装置に関し、特に、チャンネルの選局制御技術に関する。
【背景技術】
【０００２】
２００３年から地上デジタル放送が開始され、放送のデジタル化が進みつつある。また、２００６年からは携帯端末向けの地上デジタル放送が開始される。
【０００３】
地上デジタル放送では、各都道府県において域内の放送局ごとに３桁のチャンネル番号が割当てられる。域内ではこのチャンネル番号が重複することはないが、地域外ではこの限りではなく、チャンネル番号が重複する場合がある。したがって、複数の地域の放送を受信できる場合、域内および域外の同一チャンネル番号の複数の放送局からの放送を受信する場合がある。受信機において、これらを区別するために、同一チャンネル番号の複数の放送局を枝番号によって区別し、３桁のチャンネル番号にさらに枝番号として１桁を付与し、４桁のチャンネル番号として管理する。この場合、ユーザはそれぞれの放送チャンネルを選局するために、４桁の番号をリモコンなどにより入力することとなる。
【０００４】
また、地上デジタル放送では、リモコンなどの数字キーをワンタッチで入力して選局することを可能にするために、ワンタッチキー番号情報が映像音声とともに放送されているが、このワンタッチキー番号情報は上記のチャンネル番号を構成する情報の一部であり、チャンネル番号同様に複数の放送局からの放送で重複する場合がある。
【０００５】
特許文献１では、４桁の入力を効率化するために、過去に入力された枝番号を記録し、次回３桁番号が入力されて、一定時間４桁目が入力されない場合に、記録された枝番号の放送チャンネルを選局する方法が提案されている。
【特許文献１】特開２００４−３４３２３５号公報
【発明の開示】
【発明が解決しようとする課題】
【０００６】
特許文献１の発明では、３桁番号による入力について、記録した枝番号を使用しているが、ワンタッチキー番号については考慮されておらず、この場合には空いているワンタッチキー番号を割当てる。その割り当てをユーザが指定できないため、本来そのワンタッチキー番号を割当てたい放送局に異なるワンタッチキー番号が割当てられる恐れがあり、利便性が低下する。
【０００７】
そのために、アナログテレビのように、受信可能な放送局を一覧表示し、ユーザにワンタッチキーを明示的に割当てさせる方法も考えられるが、煩雑である。
【０００８】
本発明は、これらの課題を鑑みてなされたものであり、ワンタッチキー番号が重複する複数の放送チャンネルにおいて、ユーザが好む放送チャンネルを容易な操作で選局可能にする放送受信装置を提供することを目的とする。
【課題を解決するための手段】
【０００９】
上記の目的を達成するために、本発明の放送受信装置は、ワンタッチキー番号入力によって、前記ワンタッチキー番号に対応した放送チャンネルを受信信号から選択的に受信するとともに、同じワンタッチキー番号が付与された放送チャンネルが複数受信される場合に、同じワンタッチキー番号を入力するたびに異なる枝番号の放送チャンネルを選択する選択チャンネル決定手段を備え、最後に選局された枝番号の放送チャンネルを、次回前記ワンタッチキー番号が入力されたときに最初に選択して選局することを特徴とする。
【発明の効果】
【００１０】
以上のように、本発明によれば、ユーザが少ない操作で、本来割当てたいワンタッチキー番号を好きな放送チャンネルに割当てることが可能となり、操作性が向上する。
【発明を実施するための最良の形態】
【００１１】
以下本発明の実施の形態について、図１〜７を用いて説明する。
【００１２】
１．  構成
１．１．  携帯端末装置１００の構成
図１を用いて本発明の実施の形態を詳細に説明する。図１は本発明の一形態である携帯端末装置１００の構成を示すブロック図である。
【００１３】
図１において、携帯端末装置１００は、アンテナ（図示省略）、チューナ１０１、ユーザ入力部１０２、デマルチプレクサ１０３、ＡＶデコーダ１０４、出力部１０５、選局制御部１０６、枝番号制御部１０７、チャンネル情報管理部１０８から構成される。
【００１４】
アンテナは、複数の放送チャンネルの放送波を受信する。チューナ１０１は、選局制御部１０６から指定された放送周波数に選局し、放送ネットワークからデジタル放送信号を受信し、デマルチプレクサ１０３に出力する。デジタル放送信号は主に映像音声データと、放送局や番組情報などが記述されたＳＩ情報を含む。
【００１５】
ユーザ入力部１０２は、リモコンやキーボードなどの入力を受け付け、選局制御部１０６に出力する。本実施例では、ユーザ入力部１０２においてユーザがワンタッチキー番号としての数字キーを入力することとする。
【００１６】
デマルチプレクサ１０３は、選局制御部１０６からの指示に従って、チューナ１０１が受信したデジタル放送信号から映像音声とデータのパケットを分離し、それぞれＡＶデコーダ１０４およびチャンネル情報管理部１０８に出力する。
【００１７】
ＡＶデコーダ１０４は、デマルチプレクサ１０３にて分離された映像音声データをデコードし、映像音声を出力部１０５に出力する。
【００１８】
出力部１０５は、映像音声を画面およびスピーカーに出力する。
【００１９】
選局制御部１０６は、ユーザ入力部１０２からリモコンの入力情報（ワンタッチキー番号）を受け、その入力内容に対応したチャンネル情報をチャンネル情報管理部１０８から取得し、その内容にしたがってチューナ１０１およびデマルチプレクサ１０３に対して受信、分離すべき映像音声およびＳＩ情報を指定する。選局制御部１０６は、チャンネル情報管理部１０８から取得したチャンネル情報に枝番号が付与されている場合、そのチャンネル情報を枝番号制御部１０７に通知する。また、選局制御部１０６は現在選局中のチャンネル情報のチャンネル番号、ワンタッチキー番号および枝番号を保持する。
【００２０】
枝番号制御部１０７は、選局制御部１０６から選局中のチャンネルのチャンネル情報を受け取り、当該チャンネル情報と同じワンタッチキー番号のチャンネル情報をチャンネル情報管理部１０８から取得し、それぞれの枝番号を振りなおして、チャンネル情報管理部１０８に出力する。枝番号制御部１０７は選局制御部１０６から受け取ったチャンネル情報の枝番号をデフォルト値である０とし、チャンネル情報管理部１０８から受け取った同一ワンタッチキー番号のチャンネル情報のうち、元々枝番号が０であったチャンネル情報の枝番号を１とし、同様に１であったチャンネル情報の枝番号を２、にそれぞれ変更する。
【００２１】
チャンネル情報管理部１０８は、デマルチプレクサ１０３にて分離されたＳＩ情報を受け取り、その中からチャンネル情報を抽出し、複数のチャンネル情報を束ねてチャンネル情報テーブル２００として保持、管理する。チャンネル情報管理部１０８は、選局制御部１０６や枝番号制御部１０７からの要求にしたがって、指定されたワンタッチキー番号に対応するチャンネル情報を出力する。
【００２２】
携帯端末装置１００は本発明の放送受信装置の一例であり、携帯端末装置に限定するものではなく、携帯電話でも、携帯テレビでも、カーナビゲーションでも、ＤＶＤ装置でも、小型ゲーム機でもよく、デジタル放送を受信する装置であれば、それに限定されるものではない。
【００２３】
チューナ１０１は本発明のデータを入力する手段の一例であり、本実施例における放送を受信するチューナだけでなく、通信回線や電話回線などのネットワークアダプタやモデム、ＨＤＤやＤＶＤ、メモリカードなどの蓄積デバイスと接続し、蓄積デバイスのデジタル放送信号を受信するようにしてもよく、それによって制限されるものではない。
【００２４】
デマルチプレクサ１０３は、本発明のデジタル放送信号を分離する手段の一例であり、本実施におけるストリームを分離するトランスポートデコーダなどでの実現が想定されるが、それに制限されるものではない。
【００２５】
ＡＶデコーダ１０４は、本発明の映像音声データをデコードする手段の一例であり、ＭＰＥＧデコードＬＳＩなどが想定されるが、それに限定されるものではなく、ソフトウェアプログラムにて実現してもよい。
【００２６】
選局制御部１０６、枝番号制御部１０７およびチャンネル情報管理部１０８はプログラムまたはプログラムを記録した記録媒体または当該プログラムを書き込んだプロセッサなどでの実現が想定されるが、それに制限されるものではない。
【００２７】
１．２．データおよびテーブルの構成
１．２．１．チャンネル情報管理部１０８が保持するチャンネル情報テーブル２００の構成
チャンネル情報管理部１０８が保持するチャンネル情報テーブル２００の例を図２に示す。本実施の形態ではチャンネル情報テーブル２００は、本発明の携帯端末装置１００において受信可能である複数の放送チャンネルのチャンネル情報３００によって構成される。チャンネル情報３００は各放送チャンネルで送られるデジタル放送信号に含まれるＳＩ情報から得られるため、デジタル放送信号を受信することにより取得することができる。
【００２８】
各放送チャンネルのチャンネル情報３００はチャンネル番号、ワンタッチキー番号、枝番号、放送局名で構成される。
【００２９】
図２の例において、放送局名ＡＡＡテレビは、チャンネル番号が０１１、ワンタッチキー番号が１、枝番号が０であることを示し、放送局ＢＢＢテレビはチャンネル番号が０１１、ワンタッチキー番号が１、枝番号が１であることを示し、放送局ＣＣＣテレビはチャンネル番号が０１１、ワンタッチキー番号が１、枝番号２であることを示し、放送局ＤＤＤテレビはチャンネル番号が０４１、ワンタッチキー番号が４、枝番号なしであることを示す。
【００３０】
枝番号はチャンネル番号およびワンタッチキー番号が同一の場合に、それらを区別するためにそれぞれ０以上の値をユニークに付与する。重複のないＤＤＤテレビ、ＥＥＥテレビ、ＦＦＦテレビおよびＧＧＧテレビには枝番号は付与しない。
【００３１】
２．動作
２．１．本発明の携帯端末装置１００のチャンネル情報テーブル２００作成動作の説明
以下、図３を用いて、本発明の携帯端末装置１００による、チャンネル情報テーブル２００の作成動作を説明する。
【００３２】
図３は、本発明の携帯端末装置１００において、ユーザがリモコン操作によって本携帯端末装置１００が受信可能な放送チャンネルを検索する機能（以下、チャンネルスキャン機能）を呼び出してから、全チャンネルを選局して受信可能な放送チャンネルを検出して、チャンネル情報テーブル２００を作成する動作の流れを示したフローチャートである。
【００３３】
ユーザ入力部１０２がチャンネルスキャン機能の呼び出しのキー入力を受け、選局制御部１０６にチャンネルスキャン機能の実行を指示する（Ｓ１００１）。
【００３４】
選局制御部１０６は、チャンネルスキャン機能実行指示を受け、チューナ１０１およびデマルチプレクサ１０３に対して、全放送周波数への選局、デジタル放送信号受信およびＳＩ情報の分離を指示する（Ｓ１００２）。
【００３５】
チューナ１０１およびデマルチプレクサ１０３にてデジタル放送信号を受信し、ＳＩ情報を分離して、チャンネル情報管理部１０８に出力する（Ｓ１００３）。
【００３６】
チャンネル情報管理部１０８において、受け取ったＳＩ情報からチャンネル情報を抽出する（Ｓ１００４）。そのチャンネル情報のワンタッチキー番号と同じ番号を持つチャンネル情報があるかどうかをチャンネル情報テーブル２００から検索する（Ｓ１００５）。
【００３７】
同一のワンタッチキー番号を持つチャンネル情報がチャンネル情報テーブル２００に存在しない場合、取得したチャンネル情報をそのままチャンネル情報テーブル２００に追加する（Ｓ１００６）。このとき、枝番号は付与しない。
【００３８】
同一のワンタッチキー番号を持つチャンネル情報がチャンネル情報テーブル２００に存在する場合、取得したチャンネル情報に対して、デフォルトの枝番号０を付与して、チャンネル情報テーブル２００に追加し、同一のワンタッチキー番号を持つ他の全てのチャンネル情報の枝番号を１加算する（Ｓ１００７）。
【００３９】
選局制御部１０６は、全ての放送周波数への選局を完了していない場合は、次の放送周波数への選局を指示するためにＳ１００２に戻る（Ｓ１００８）。全ての放送周波数への選局を完了した場合はチャンネルスキャン機能を終了する。
【００４０】
２．２．本発明の携帯端末装置１００の選局動作の流れの説明
以下、図４を用いて、本発明の携帯端末装置１００の選局動作の流れを説明する。
【００４１】
図４は、本発明の携帯端末装置１００において、ユーザのリモコン入力（ワンタッチキー入力）の内容に対応するチャンネル情報を取得して、その情報に従って対応する放送チャンネルを選局し、映像音声出力するまでと、ワンタッチキー番号に対応するチャンネル情報の枝番号を制御する動作の大まかな流れを示すフローチャートである。
【００４２】
ユーザ入力部１０２において、ワンタッチキー番号入力があった場合、それを選局制御部１０６に出力する（Ｓ２００１）。
【００４３】
選局制御部１０６において、ユーザ入力部１０２から受け取った、選局すべきワンタッチキー番号と、現在選局中のワンタッチキー番号、枝番号をチャンネル情報管理部１０８に渡す（Ｓ２００２）。
【００４４】
チャンネル情報管理部１０８において、選局制御部１０６から受け取った、選局すべきワンタッチキー番号と選局中のワンタッチキー番号を比較する（Ｓ２００３）。
【００４５】
両ワンタッチキー番号が異なる場合、チャンネル情報管理部１０８は、選局すべきワンタッチキー番号に対応するチャンネル情報をチャンネル情報テーブル２００から抽出し、選局制御部１０６に出力する（Ｓ２００４）。当該ワンタッチキー番号に対応するチャンネル情報が複数存在する（すなわち枝番号が存在する）場合、デフォルトの枝番号０のチャンネル情報を抽出する。
【００４６】
両ワンタッチキー番号が同一の場合、チャンネル情報管理部１０８は、当該ワンタッチキー番号と、現在選局中の枝番号の次の枝番号のチャンネル情報を、チャンネル情報テーブル２００から抽出し、選局制御部１０６に出力する（Ｓ２００５）。次の枝番号とは、現在選局中の枝番号に１加算したものであり、チャンネル情報テーブル２００に存在する当該ワンタッチキー番号のチャンネル情報の枝番号の最大値を越えた場合には０に戻す。
【００４７】
選局制御部１０６において、チャンネル情報管理部１０８から取得したチャンネル情報をデマルチプレクサ１０３に出力して、当該チャンネルの選局に必要な映像音声およびＳＩ情報の分離を指示する。これにより、デマルチプレクサ１０３において分離された映像音声データはＡＶデコーダ１０４および出力部１０５にて映像音声のデコードおよび出力され、ＳＩ情報はチャンネル情報管理部に出力される（Ｓ２００６）。
【００４８】
選局制御部１０６は、選局すべきチャンネル情報を枝番号制御部１０７に出力する（Ｓ２００７）。
【００４９】
枝番号制御部１０７は、選局すべきチャンネル情報から、同一ワンタッチキー番号（すなわち枝番号が存在する）のチャンネル情報をチャンネル情報管理部１０８から取得する（Ｓ２００８）。
【００５０】
枝番号制御部１０７において、当該チャンネル情報に対して枝番号のあるチャンネル情報が存在しない場合（Ｓ２００９）、Ｓ２００１に戻り、キー入力を待つ。
【００５１】
枝番号が存在し、所定期間内にキー入力があった場合（Ｓ２０１０）、Ｓ２００１に戻り、当該キー入力に対する通常の選局処理を行う。
【００５２】
所定期間キー入力がなかった場合、枝番号が存在する当該チャンネルを視聴しているとみなし、枝番号制御部１０７において、当該チャンネル情報を元に、枝番号の振り直しを行ってチャンネル情報テーブル２００を更新する（Ｓ２０１１）。
【００５３】
この選局動作について図２のチャンネル情報テーブル２００の例で説明する。
図２では、ワンタッチキー番号１のチャンネルが３つ存在し、それぞれ枝番号が付与されている。まずワンタッチキー番号１が押下された場合、デフォルトの枝番号０であるチャンネル（チャンネル番号０１１、放送局名ＡＡＡテレビ）が選局される。この状態で再度ワンタッチキー番号１が押下された場合には、枝番号１であるＢＢＢテレビが、さらに押下された場合には、枝番号２であるＣＣＣテレビが、そしてさらに押下された場合には、これ以上大きな枝番号がないのでデフォルトの枝番号０であるＡＡＡテレビに戻り、以下繰り返しである。そして、一旦他のワンタッチキー番号によって他のチャンネルに選局された後で、再度当該ワンタッチキー番号入力された場合は、再度デフォルトの枝番号０のチャンネルを選局する。
【００５４】
２．３．本発明の携帯端末装置１００のチャンネル情報の枝番号変更動作の説明
以下、図５を用いて、２．２．の選局動作におけるＳ２０１１において、選局制御部１０６から枝番号制御部１０７に対して出力されたチャンネル情報を元に、枝番号制御部１０７において枝番号を変更し、チャンネル情報テーブル２００を更新する動作について説明する。
【００５５】
図５は、枝番号の付与されたチャンネルを選局した場合において、同一ワンタッチキーに対応付けられたチャンネル情報の枝番号を変更する動作の流れを示したフローチャートである。
【００５６】
枝番号制御部１０７において、選局すべきチャンネル情報の枝番号を記憶し、そのチャンネル情報の枝番号をデフォルト番号０に変更する（Ｓ３００１）。
【００５７】
枝番号制御部１０７において、チャンネル情報管理部から取得した同一ワンタッチキー番号の別のチャンネル情報の枝番号と、Ｓ３００１で保持された枝番号（以下、元枝番号と呼ぶ）を比較する（Ｓ３００２）。別のチャンネル情報の枝番号が、元枝番号よりも小さい場合、その枝番号を１加算して、チャンネル情報管理部１０８に出力する（Ｓ３００３）。大きい場合は何もしない。
【００５８】
チャンネル情報管理部１０８において、枝番号制御部１０７から受け取ったチャンネル情報に対して、同一のワンタッチキー番号のチャンネル情報については、枝番号が小さい順に並び替えてチャンネル情報テーブル２００を再構築する（Ｓ３００４）。
【００５９】
枝番号制御部１０７において、元枝番号と比較を行っていない同一ワンタッチキー番号のチャンネル情報が存在する場合、Ｓ３００２に戻る（Ｓ３００５）。
【００６０】
同一ワンタッチキー番号を持つ別の全てのチャンネル情報について、元枝番号との比較および枝番号変更を行った場合、終了する。
【００６１】
動作例として、図６のチャンネル情報テーブル２００の状態において、チャンネル番号０１１、ワンタッチキー番号１、枝番号１の放送チャンネル（放送局名ＢＢＢテレビ）を選局した場合に、枝番号制御部１０７にて変更された後のチャンネル情報テーブル２００を図７に示す。
【００６２】
チャンネル番号０１１、ワンタッチキー番号１、枝番号１のチャンネルを選局した場合、枝番号制御部１０７は、チャンネル情報管理部１０８からチャンネル番号０１１、ワンタッチキー番号１のチャンネル情報として、枝番号０（放送局名ＡＡＡテレビ）と枝番号２（放送局名ＣＣＣテレビ）を取得する。
【００６３】
枝番号制御部１０７は、まず元枝番号として１を記憶し、枝番号１のチャンネル情報（ＢＢＢテレビ）の枝番号をデフォルト番号０とする。
【００６４】
次に、元々枝番号０であったチャンネル情報（ＡＡＡテレビ）の枝番号は元枝番号１よりも小さいので１加算して、１に変更する。
【００６５】
元々枝番号２であったチャンネル情報（ＣＣＣテレビ）の枝番号は元枝番号１より大きいので、何もしない。
【００６６】
チャンネル情報管理部１０８は、この枝番号０から２のチャンネル情報を受け取り枝番号が若い順に並び替えてチャンネル情報テーブル２００を再構築する。
【００６７】
これにより、図７に示す通り、チャンネル番号０１１、ワンタッチキー番号１のチャンネル情報において、ＢＢＢテレビが枝番号０、ＡＡＡテレビが枝番号１、ＣＣＣテレビが枝番号２となり、次回ワンタッチキー番号１のチャンネルが選択された場合には、枝番号０であるＢＢＢテレビが選局されることになる。
【００６８】
この状態から、同様にＣＣＣテレビが選局された場合、ＣＣＣテレビの枝番号が０となり、ＢＢＢテレビが枝番号１、ＡＡＡテレビが枝番号２となる。
【００６９】
以上のように本実施の形態にかかる携帯端末装置１００は、アンテナと、チューナ１０１と、ユーザ入力部１０２と、選局制御部１０６とを備える。アンテナは、複数の放送チャンネルの放送波を受信する。チューナ１０１は、受信した複数の放送チャンネルの放送波の中からいずれかを選局する。ユーザ入力部１０２は、チューナ１０１における放送チャンネルの選局についての指示を受け付ける。ユーザ入力部１０２は、少なくとも１つの数字キー（ワンタッチキー）で構成される。選局制御部１０６は、ユーザ入力部１０２が操作されるのに応じて、選局制御部１０６による選局を切り換える。数字キーのうち少なくとも１つは、１又は複数の放送チャンネルの選局を指示できるよう設定される。そして、選局制御部１０６は、数字キーのうち少なくとも１つが複数の放送チャンネルの選局を指示できるよう設定されている場合、複数の放送チャンネルが割り当てられた数字キーが操作されるのに応じて、その数字キーに割り当てられた複数の放送チャンネルを順次選局するよう選局制御部１０６を制御すると共に、複数の放送チャンネルが割り当てられた数字キーの操作に応じたチューナ１０１による選局の順番を変更可能に制御する。
【００７０】
なお、選局制御部１０６は、本実施の形態に示すように、複数の放送チャンネルが割り当てられた数字キーが連続して操作された場合、その連続した操作のそれぞれに応じて、数字キーに割り当てられた複数の放送チャンネルを順次選局するようチューナ１０１を制御するようにしてもよい。その一方、選局制御部１０６は、複数の放送チャンネルが割り当てられた数字キーが操作された後他の操作が行われ、その後複数の放送チャンネルが割り当てられた数字キーが再び操作された場合、他の操作後の数字キーの操作に応じて、他の操作が行われる前の数字キーの操作に応じて最後に選局された放送チャンネルを選局するようチューナ１０１を制御するようにしてもよい。
【００７１】
また、選局制御部１０６は、本実施の形態に示すように、複数の放送チャンネルが割り当てられた数字キーが連続して操作された場合、その連続した操作のそれぞれに応じて、数字キーに割り当てられた複数の放送チャンネルを順次選局するようチューナ１０１を制御するようにしてもよい。その一方、複数の放送チャンネルが割り当てられた数字キーが操作された後何も操作が行われないで所定時間が経過し、その後複数の放送チャンネルが割り当てられた数字キーが再び操作された場合、所定時間経過後の数字キーの操作に応じて、他の操作が行われる前の数字キーの操作に応じて最後に選局された放送チャンネルを選局するようチューナ１０１を制御するようにしてもよい。
【００７２】
また、選局制御部１０６は、本実施の形態に示すように、複数の放送チャンネルが割り当てられた数字キーが連続して操作された場合、その連続した操作のそれぞれに応じて、数字キーに割り当てられた複数の放送チャンネルを順次選局するようチューナ１０１を制御するようにしてもよい。その一方、複数の放送チャンネルが割り当てられた数字キーが操作された後チューナ１０１で同一の放送チャンネルが所定時間以上長く選局され、その後複数の放送チャンネルが割り当てられた数字キーが再び操作された場合、所定時間経過後の数字キーの操作に応じて、他の操作が行われる前の数字キーの操作に応じて最後に選局された放送チャンネルを選局するようチューナ１０１を制御するようにしてもよい。
【００７３】
また、選局制御部１０６は、本実施の形態に示すように、同一の放送チャンネルについてチューナ１０１で選局した回数に応じて、複数の放送チャンネルが割り当てられた数字キーの操作に応じたチューナ１０１による選局の順番を変更するようにしてもよい。
【００７４】
また、選局制御部１０６は、本実施の形態に示すように、複数の放送チャンネルが割り当てられた数字キーの操作に応じたチューナ１０１による選局の順番を変更するか否かについてユーザの指示を受け付け、受け付けた指示に従ってチューナ１０１による選局の順番を変更するよう制御するようにしてもよい。
【００７５】
また、選局制御部１０６は、本実施の形態に示すように、数字キーのうち少なくとも１つが複数の放送チャンネルの選局を指示できるよう設定されている場合、数字キーに割り当てられている複数の放送チャンネルのそれぞれについて異なる枝番号を付与することにより、複数の放送チャンネルが割り当てられた数字キーの操作によるチューナ１０１の選局を制御するようにしてもよい。
【００７６】
なお、本実施例においては、元枝番号よりも小さい枝番号を全て１加算しているが、デフォルト枝番号０と持つチャンネル情報と枝番号を入れ替えても良いし、最後に選局されたチャンネル情報の枝番号を０にする以外は、他の枝番号はどのように変更しても良い。
【００７７】
なお、本実施例では、枝番号の変更する条件として、所定期間他の選局操作が発生しないこととしているが、各枝番号のチャンネル情報の選局回数をカウントし、所定回数を越えた場合を枝番号の変更条件としてもよいし、所定期間内の選局回数の割合を枝番号の変更条件としてもよい。また、画面にユーザに枝番号の変更許可を確認する画面を表示し、ユーザが許可した場合のみ、枝番号を変更するようにしてもよいし、上記の変更条件とユーザの許可を組み合わせてもよい。
【産業上の利用可能性】
【００７８】
本発明にかかる放送受信装置は、放送を受信し表示する装置であって、チャンネル番号やワンタッチキー番号が同一の複数の放送チャンネルを選局する機能を有する装置全般に適用可能である。例えば、１セグデジタルテレビジョン受信ビューアやデジタル放送受信機能付き携帯電話端末、デジタル放送受信機能付きデジタルカメラ、カーテレビ、デジタル放送受信機能付きＤＶＤ、ネットワーク接続可能な携帯端末等に適用可能である。
【図面の簡単な説明】
【００７９】
【図１】本発明の実施の形態における携帯端末装置１００の構成図
【図２】チャンネル情報テーブル２００の例示図
【図３】携帯端末装置１００のチャンネル情報テーブル２００作成動作のフローチャート
【図４】携帯端末装置１００の選局動作および枝番号制御動作のフローチャート
【図５】同一ワンタッチキーに対応付けられたチャンネル情報の枝番号変更動作のフローチャート
【図６】枝番号変更前のチャンネル情報テーブル２００の例示図
【図７】枝番号変更後のチャンネル情報テーブル２００の例示図
【符号の説明】
【００８０】
１００    携帯端末装置
１０１    チューナ
１０２    ユーザ入力部
１０３    デマルチプレクサ
１０４    ＡＶデコーダ
１０５    出力部
１０６    選局制御部
１０７    枝番号制御部
１０８    チャンネル情報管理部
【図１】
2007221518.tif 000003
【図２】
2007221518.tif 000004
【図３】
2007221518.tif 000005
【図４】
2007221518.tif 000006
【図５】
2007221518.tif 000007
【図６】
2007221518.tif 000008
【図７】
2007221518.tif 000009